(57)【特許請求の範囲】
【請求項１】
薄手のシートと厚手のシートとを選択的に装着して清掃するフローリングワイパーであって、該フローリングワイパーは、柄と、該柄の先端に傾動自在に取り付けられたワイパーヘッドとを有し、
前記ワイパーヘッドは、長手方向及び短手方向を有する矩形の基盤と、該基盤の上面の長手方向の一端側及び他端側にそれぞれ取り付けられたシート固定部材とを有し、
前記基盤は、前記シート固定部材を取り付けるための基盤側取付部と、前記厚手のシートを前記シート固定部材との間に挟持するシート挟持部とを有し、
前記基盤側取付部には、前記基盤の短手方向に延びる一対の仕切壁と、前記シート固定部材を係止させるためのフックとが設けられ、前記シート挟持部には、前記基盤の短手方向の一端側と他端側との相対する位置に、該基盤の内側に向けて延出する庇部が設けられており、
前記シート固定部材は、可撓性を有していて、該シート固定部材の長手方向の一端及び他端に位置する広幅部と、該広幅部の間に位置する狭幅部とを有し、前記広幅部の横幅は前記狭幅部の横幅より大きく、該広幅部の横幅方向の一端及び他端には、前記狭幅部の横幅方向の一端及び他端よりも側方に延出する延出部がそれぞれ形成されており、
前記シート固定部材は、前記狭幅部を前記一対の仕切壁間に介在させると共に、前記広幅部の延出部を該一対の仕切壁間の外側において該仕切壁よりも基盤の長手方向に突出させ、且つ長手方向両端の自由端を前記基盤の庇部に対向させた状態で、前記狭幅部に形成された固定部材側取付部を前記基盤側取付部のフックに係止させることにより前記基盤に取り付けられており、
前記シート固定部材の広幅部には、複数の切れ目により区画された弾性変形可能な複数の係止片が形成され、該係止片により、薄手のシートに係止して該シートを装着状態に固定する第１シート固定部が形成され、また、前記シート固定部材の前記自由端と前記基盤の庇部とにより、厚手のシートを挟持して該シートを装着状態に固定する第２シート固定部が形成されている、
ことを特徴とするフローリングワイパー。
【請求項２】
前記広幅部の、シート固定部材の長手方向に沿う長さは、前記狭幅部の、シート固定部材の長手方向に沿う長さより小さいことを特徴とする請求項１に記載のフローリングワイパー。
【請求項３】
前記基盤の基盤側取付部には、前記一対の仕切壁の間に、前記フックを有する一対の係止突起が形成され、
前記シート固定部材の下面には、矩形の枠状をした前記固定部材側取付部が形成され、該固定部材側取付部における４つの枠壁のうちの相対する一対の枠壁の内面にフックが形成されており、
前記固定部材側取付部の内部に前記基盤側取付部の一対の係止突起を挿入して、該係止突起のフックを前記枠壁のフックに係止させることにより、前記シート固定部材が前記基盤に取り付けられている、
ことを特徴とする請求項１又は２に記載のフローリングワイパー。
【請求項４】
前記基盤の上面の短手方向の両端部には、該基盤から立ち上がった端壁が該基盤の長手方向の全長に亙って形成され、該端壁の上端の一部に前記庇部が、前記基盤の内側に向けて突出するように形成されていることを特徴とする請求項１から３の何れかに記載のフローリングワイパー。
【請求項５】
前記シート固定部材の前記係止片が形成されている領域は、前記広幅部から前記狭幅部の一部に跨るように形成され、該領域は、前記シート固定部材の裏面に凹部を形成することにより、前記領域以外の部分より薄肉化されていることを特徴とする請求項１から４の何れかに記載のフローリングワイパー。
【発明の詳細な説明】
【技術分野】
【０００１】
本発明は、清掃用のシートをワイパーヘッドに装着して清掃を行うフローリングワイパーに関するものである。
【背景技術】
【０００２】
例えば、特許文献１や特許文献２に開示されたモップのように、ヘッドに清掃用シートを装着して板敷きの床の清掃を行うフローリングワイパーは公知である。このようなフローリングワイパーにおいては、前記ヘッドに装着したシートを装着状態に固定するため、様々な固定機構が用いられている。
【０００３】
前記特許文献１に開示されたモップは、ヘッド（支持板）の上面に、交叉する複数の切目を設けることによって複数の弾性舌片を形成し、該ヘッドに装着したシートの端部を前記切目内に押し込むことにより前記弾性舌片に係止させ、それによって該シートを装着状態に固定するように構成されている。
このような切目を利用した固定機構は、該切目内にシートを単に押し込むだけで固定することができるため、シートの装着作業が簡単である。また、清掃で汚れたシートを該ヘッドから取り外す場合にも、該シートをやや強く引っ張って前記切目から引き出せば良いため、取り外し作業も簡単である。
【０００４】
しかし、この特許文献１に開示されたシートの固定機構は、１ｍｍ程度の薄手のシートを使用する場合には適しているが、２−５ｍｍ低度の厚手のシートを使用する場合には不向きである。その理由は、前記薄手のシートの場合は、前記切目内に簡単に押し込むことができて、前記弾性舌片に係止し易いが、厚手のシートは、嵩張るため前記切目内に押し込むことが難しいだけでなく、たとえ押し込んだとしても、前記弾性舌片に係止しにくいためにヘッドから外れ易いからである。
【０００５】
一方、前記特許文献２に開示されたモップは、ヘッド（取付台）の上面に止着孔を形成すると共に、該ヘッドの上面に取り付けた柔軟な止着部材に前記止着孔に嵌合する突起を形成し、且つ、シートに係止孔を形成したもので、該シートを前記ヘッドに装着して固定するときは、前記止着部材の端部を上方に持ち上げて該止着部材とヘッドとの間に前記シートの端部を挟み込み、該シートの係止孔を通して前記突起を前記ヘッドの止着孔内に嵌入させることにより、該シートを固定するものである。
【０００６】
この特許文献２に開示されたモップは、薄手のシートと厚手のシートの両方を使用することができる点で優れているが、何れのシートを使用する場合にも、該シートを固定したり取り外したりする場合に、前記止着部材の両端部を持ち上げてヘッドから離れる方向に変形させると同時に、前記突起を該シートの係止孔に嵌合させたり脱出させたりしなければならないため、前記特許文献１に開示されたフローリングワイパーのように切目を利用するものに比べると、操作がやや面倒である。
【先行技術文献】
【特許文献】
【０００７】
【特許文献１】実用新案登録第３０２３１６７号公報
【特許文献２】特許第３６１６１５９号公報
【発明の概要】
【発明が解決しようとする課題】
【０００８】
本発明の技術的課題は、構成の異なる２種類のシート固定部を使い分けることによって薄手のシートと厚手のシートの両方を選択的に使用することができる、合理的で使い勝手の良いフローリングワイパーを提供することにある。
【課題を解決するための手段】
【０００９】
前記課題を解決するため、本発明のフローリングワイパーは、柄と、該柄の先端に傾動自在に取り付けられたワイパーヘッドとを有し、前記ワイパーヘッドは、長手方向及び短手方向を有する矩形の基盤と、該基盤の上面の長手方向の一端側及び他端側にそれぞれ取り付けられたシート固定部材とを有し、前記基盤は、前記シート固定部材を取り付けるための基盤側取付部と、前記厚手のシートを前記シート固定部材との間に挟持するシート挟持部とを有し、前記基盤側取付部には、前記基盤の短手方向に延びる一対の仕切壁と、前記シート固定部材を係止させるためのフックとが設けられ、前記シート挟持部には、前記基盤の短手方向の一端側と他端側との相対する位置に、該基盤の内側に向けて延出する庇部が設けられており、前記シート固定部材は、可撓性を有していて、該シート固定部材の長手方向の一端及び他端に位置する広幅部と、該広幅部の間に位置する狭幅部とを有し、前記広幅部の横幅は前記狭幅部の横幅より大きく、該広幅部の横幅方向の一端及び他端には、前記狭幅部の横幅方向の一端及び他端よりも側方に延出する延出部がそれぞれ形成されており、前記シート固定部材は、前記狭幅部を前記一対の仕切壁間に介在させると共に、前記広幅部の延出部を該一対の仕切壁間の外側において該仕切壁よりも基盤の長手方向に突出させ、且つ長手方向両端の自由端を前記基盤の庇部に対向させた状態で、前記狭幅部に形成された固定部材側取付部を前記基盤側取付部のフックに係止させることにより前記基盤に取り付けられており、前記シート固定部材の広幅部には、複数の切れ目により区画された弾性変形可能な複数の係止片が形成され、該係止片により、薄手のシートに係止して該シートを装着状態に固定する第１シート固定部が形成され、また、前記シート固定部材の前記自由端と前記基盤の庇部とにより、厚手のシートを挟持して該シートを装着状態に固定する第２シート固定部が形成されていることを特徴とするものである。
【００１０】
本発明において、前記広幅部の、シート固定部材の長手方向に沿う長さは、前記狭幅部の、シート固定部材の長手方向に沿う長さより小さいことが好ましい。
また、本発明のフローリングワイパーは、前記基盤の基盤側取付部の、前記一対の仕切壁の間に、前記フックを有する一対の係止突起が形成され、前記シート固定部材の下面には、矩形の枠状をした前記固定部材側取付部が形成され、該固定部材側取付部における４つの枠壁のうちの相対する一対の枠壁の内面にフックが形成されており、前記固定部材側取付部の内部に前記基盤側取付部の一対の係止突起を挿入して、該係止突起のフックを前記枠壁のフックに係止させることにより、前記シート固定部材が前記基盤に取り付けられていても良い。
【００１１】
また、本発明においては、前記基盤の上面の短手方向の両端部に、該基盤から立ち上がった端壁が該基盤の長手方向の全長に亙って形成され、該端壁の上端の一部に前記庇部が、前記基盤の内側に向けて突出するように形成されていても良い。
更に、本発明において、前記シート固定部材の前記係止片が形成されている領域は、前記広幅部から前記狭幅部の一部に跨るように形成され、該領域は、前記シート固定部材の裏面に凹部を形成することにより、該領域以外の部分より薄肉化されていても良い。
【発明の効果】
【００１２】
本発明によれば、シート固定部材に形成された係止片によって構成される第１シート固定部、及び、前記シート固定部材の自由端と基盤に形成されたシート挟持部の庇部とによって構成される第２シート固定部を使い分けることにより、薄手のシートと厚手のシートの両方を選択的に使用することができる。また、前記第１シート固定部は、前記シート固定部材に形成し、前記第２シート固定部は、前記シート固定部材の一部と前記基盤の一部とを組み合わせて形成しているので、その構成は非常に合理的で、使い勝手も優れる。
【図面の簡単な説明】
【００１３】
【図１】本発明に係るフローリングワイパーの斜視図である。
【図２】図１のフローリングワイパーのワイパーヘッドの平面図である。
【図３】図２のＩＩＩ−ＩＩＩ線に沿った拡大断面図である。
【図４】図２のＩＶ−ＩＶ線に沿った要部拡大断面図である。
【図５】シート固定部材の斜視図である。
【図６】シート固定部材の断面図である。
【図７】シート固定部材の下面図である。
【図８】本発明に係るフローリングワイパーのワイパーヘッドに薄手のシートを装着した状態を示す断面図である。
【図９】本発明に係るフローリングワイパーのワイパーヘッドに厚手のシートを装着した状態を示す断面図である。
【発明を実施するための形態】
【００１４】
図１−図４は本発明に係るフローリングワイパーの一実施形態を示すもので、該フローリングワイパー１は、平面視形状が横長の長方形状をなすワイパーヘッド２と、該ワイパーヘッド２の上面中央位置に起倒自在に取り付けられた柄３とを備えたもので、前記ワイパーヘッド２に、厚みが１ｍｍ程度の薄手の清掃用シート４ａ（図８参照）と、厚みが２−５ｍｍ程度の厚手の清掃用シート４ｂ（図９参照）とを、選択的に装着して使用するものである。
前記シート４ａ，４ｂは、不織布や織物等により形成された矩形のシートである。以下の説明において、前記薄手のシート４ａと厚手のシート４ｂとを区別して表示する必要がない場合には、単に「シート４」と表示することとする。
【００１５】
前記柄３は、自在継手６を介して前記ワイパーヘッド２に、任意の方向に任意の角度傾動自在なるように連結されている。
前記自在継手６は、前記ワイパーヘッド２の上面に形成された左右一対の軸受部７ａ，７ｂに、該ワイパーヘッド２の長手方向（左右方向）に延びる第１の軸線Ｌ１を中心に回転自在に支持された第１の継手部材６ａと、該第１の継手部材６ａに、前記第１の軸線Ｌ１と直交する第２の軸線Ｌ２を中心に回転自在に連結された第２の継手部材６ｂとを有し、該第２の継手部材６ｂが前記柄３の先端に固定的に連結されている。
前記柄３は、長さ調整のため伸縮自在に形成されていても良い。
【００１６】
前記ワイパーヘッド２は、平面視形状が横長の長方形をなす基盤８と、該基盤８の下面に取り付けられた緩衝用のパッド板９と、前記基盤８の長手方向の一端側及び他端側の上面にそれぞれ取り付けられたシート固定部材１０とを有するものである。
【００１７】
前記基盤８は、合成樹脂によって全体が一体成型されたもので、その上面には、該基盤８の短手方向（前後方向）の中央位置に、中空状をした前記軸受部７ａ，７ｂが、前記第１の軸線Ｌ１に沿って該基盤８の左右方向に延在するように形成され、該基盤８の前後方向の一端縁と他端縁とには、該基盤８から立ち上がった端壁１１が、該基盤８の長手方向（左右方向）全長に亙って形成され、該基盤８の左右方向の一端側と他端側とには、前記シート固定部材１０と協同して厚手のシート４ｂを挟持するシート挟持部１２が一対ずつ形成されると共に、該一対のシート挟持部１２，１２の間に、前記シート固定部材１０を該基盤８に取り付けるための基盤側取付部１３が形成されている。
【００１８】
前記一対のシート挟持部１２，１２は、前記基盤８の幅方向の一端側と他端側との相対する位置に形成されていて、前記基盤８から立ち上がった脚部１２ｂと、該脚部１２ｂの上端から基盤８の内側に向けて延出する庇部１２ａとを有している。図示した実施形態では、前記庇部１２ａが前記端壁１１の上端部から延出しているため、該端壁１１の一部が前記脚部１２ｂを兼ねていることになる。しかし、前記脚部１２ｂは、前記端壁１１と別体に形成することもできる。
【００１９】
前記基盤側取付部１３には、前記基盤８の前後方向に延びる互いに平行な一対の仕切壁１５，１５と、該一対の仕切壁１５，１５の間に形成された一対の係止突起１６，１６とが形成されている。前記一対の仕切壁１５，１５は、前記基盤８の左右方向の相対する位置に形成され、前記一対の係止突起１６，１６も、前記基盤８の左右方向の相対する位置に形成され、該一対の係止突起１６，１６の上端には、互いに相反する方向を向くフック１６ａがそれぞれ形成されている。
前記仕切壁１５の長さは、前記基盤８の前後方向幅の１／３以下、例えば１／４程度であることが好ましく、また、前記係止突起１６の長さは、該仕切壁１５の長さより更に短く、該仕切壁１５の長さのほぼ１／３程度である。
【００２０】
前記パッド板９は、前記シート４で清掃する際のクッション性を高めるためのもので、合成ゴム板や、合成樹脂を発泡させて形成したスポンジ板、不織布や織物等からなる布を積層して形成した繊維板等によって、３−１０ｍｍ程度の厚みに形成され、前記基盤８の下面に、フックによる係止や、接着剤あるいは両面接着テープ等による接着等の方法によって固定されている。該パッド板９は、前記基盤８よりやや大きめに形成されることにより、該基盤８の左右方向及び短手方向に若干はみ出している。
【００２１】
図５−図７も参照して、前記シート固定部材１０は、合成ゴムや合成樹脂等からなる可撓性を有する帯状の部材であって、長手方向と短手方向（横幅方向）とを有し、長手方向の一端及び他端にはそれぞれ広幅部１０ａが形成され、２つの該広幅部１０ａ，１０ａの間には狭幅部１０ｂが形成され、該狭幅部１０ｂの下面に、前記基盤８の基盤側取付部１３に取り付けるための固定部材側取付部１７が形成されている。
また、該シート固定部材１０は、長手方向の中央部から長手方向両端の自由端１０ｃ，１０ｃ側に向けて次第に高さが低くなるような、上に向けて凸をなす形に緩やかに湾曲している。
【００２２】
前記２つの広幅部１０ａの横幅Ｗａは、互いに等しく、且つ、前記狭幅部１０ｂの横幅Ｗｂより大きく形成されている。このため、前記広幅部１０ａの横幅Ｗａ方向の一端及び他端は、前記狭幅部１０ｂの横幅Ｗｂ方向の一端及び他端よりもそれぞれ側方に張り出しており、それによって該広幅部１０ａの横幅Ｗａ方向の一端及び他端に、指を掛けるための延出部１０ｄがそれぞれ形成されている。
【００２３】
また、前記シート固定部材１０の長手方向の一端側及び他端側には、前記広幅部１０ａと狭幅部１０ｂとに跨る領域に、複数の切目１９により区画された弾性変形可能な複数の係止片１８がそれぞれ形成され、該係止片１８により、薄手のシート４ａに係止して該シート４ａを装着状態に固定するための第１シート固定部２０が形成されている。
前記係止片１８の先端部は尖っていて、前記シート４ａに係止することができるようになっている。また、前記係止片１８の尖った先端部には、厚みを他の部分より若干厚くした厚肉部１８ａが形成されることによって変形しにくくされており、それにより、前記シート４ａに対する係止力が高められている。
【００２４】
前記シート固定部材１０は、前記基盤８の一対のシート挟持部１２，１２の間に、長手方向を該基盤８の前後方向に向けた姿勢で配設され、前記固定部材側取付部１７により、以下のようにして前記基盤８の基盤側取付部１３に取り付けられている。
【００２５】
即ち、前記固定部材側取付部１７は、矩形の枠状をしていて、４つの枠壁のうち、前記一対の係止突起１６，１６に対面する一対の枠壁１７ａ，１７ａの下端部内面に、前記係止突起１６，１６のフック１６ａに係止するフック１７ｂが形成されている。そして、前記固定部材側取付部１７のフック１７ｂと係止突起１６，１６のフック１６ｂとを相互に係止させることにより、前記シート固定部材１０が、前記狭幅部１０ｂが前記一対の仕切壁１５，１５の間に介在する姿勢で、前記基盤８の上面に取り付けられている。
【００２６】
前記シート固定部材１０の長手方向の両端部は、それぞれ変位自在の自由端１０ｃであり、該自由端１０ｃが、前記シート挟持部１２の庇部１２ａの先端部と対向し、該庇部１２ａと前記自由端１０ｃとによって、厚手のシート４ｂを挟持して該シート４ｂを装着状態に固定するための第２シート固定部２１が形成されている。
【００２７】
図示した例では、前記自由端１０ｃが、前記庇部１２ａと若干重複していて、該庇部１２ａの下に潜り込むことによって該庇部１２ａの下面に当接しているが、図８に示すように、薄手のシート４ａを使用するときは、該シート４ａを係止片１８に係止させ易くするため、前記自由端１０ｃを前記庇部１２ａの上に持ち上げた状態にすることもできる。
【００２８】
あるいは、前記シート固定部材１０を、前記自由端１０ｃが、前記庇部１２ａと同じ高さを占めて該庇部１２ａに当接するか、又は該庇部１２ａとの間に僅かなギャップを保った状態で該庇部１２ａと対面するように、形成することもできる。
さらに、前記広幅部１０ａの横幅Ｗａは、前記シート挟持部１２における前記庇部１２ａの、前記基盤８の長手方向に沿う長さＸより大きく形成されている。
【００２９】
前記シート固定部材１０の、前記係止片１８が形成されている領域は、該シート固定部材１０の裏面に凹部２３を形成することにより、前記領域以外の部分より薄肉化されている。この構成により、前記シート固定部材１０の、前記領域内での弾性力は低下させて、その他の部分の弾性力の低下は防止し、それにより、前記係止片１８に薄手のシート４ａを係止させる際の該係止片１８の弾性変形を容易にすると同時に、前記自由端１０ｃで庇部１２ａとの間に厚手のシート４ｂを挟持させる際の挟持力は十分に確保することができるようにしている。
なお、前記係止片１８は、必ずしも前記広幅部１０ａと狭幅部１０ｂとに跨るように形成する必要はなく、前記広幅部１０ａだけに形成することもできる。この場合、前記凹部２３も該広幅部１０ａだけに形成される。
【００３０】
前記構成を有するフローリングワイパー１において、薄手のシート４ａを使用して清掃する場合には、図８に示すように、前記シート固定部材１０の自由端１０ｃを前記庇部１２ａに上から当接させた状態にして、前記ワイパーヘッド２に巻き付けた該シート４ａの端部を、前記シート固定部材１０の上方から前記切目１９内に押し込むことにより、前記係止片１８を弾性変形させて複数の係止片１８間に挿入し、該係止片１８に弾性的に係止させることで、前記シート４ａをワイパーヘッド２に固定状態に保持する。
【００３１】
その状態で床面等を清掃したあと、汚れた前記シート４ａを前記ワイパーヘッド２から取り外すときは、該シート４ａの端部をワイパーヘッド２の上方に向けて強く引っ張り、前記係止片１８を該シート４ａの引っ張り方向に弾性変形させて該シート４に対する係止を解除することにより、該シート４ａをワイパーヘッド２から取り外すことができる。
【００３２】
また、厚手のシート４ｂを使用して清掃する場合には、図９に示すように、前記シート固定部材１０の自由端１０ｃを前記庇部１２ａの下に潜り込ませた状態にし、前記ワイパーヘッド２に巻き付けた該シート４ｂの端部を、前記自由端１０ｃを下方に弾性変形させて該自由端１０ｃと前記シート挟持部１２の庇部１２ａとの間に挿入し、該自由端１０ｃと庇部１２ａとに挟持させることにより、前記シート４ｂをワイパーヘッド２に固定状態に保持する。
【００３３】
清掃で汚れた前記シート４ｂをワイパーヘッド２から取り外すときは、前記シート固定部材１０の延出部１０ｄを指で押し下げることにより、該シート固定部材１０の自由端１０ｃを下方に弾性変形させて該自由端１０ｃと前記庇部１２ａとによる前記シート４ｂの挟持を解除し、その状態で該シート４ｂを外部に引き出すことにより、該シート４ｂを前記ワイパーヘッド２から取り外すことができる。
このとき、前記シート固定部材１０の広幅部１０ａの横幅Ｗａは、前記庇部１２ａの長さＸより大きく形成されていて、前記延出部１０ｄが前記庇部１２ａより側方に延出しているため、該延出部１０ｄを押し下げる操作を容易に行うことができる。
【００３４】
このようにして前記フローリングワイパー１は、前記シート固定部材１０に形成された係止片１８で構成される第１シート固定部２０、及び、前記シート固定部材１０の自由端１０ｃと前記基盤８に形成されたシート挟持部１２の庇部１２ａとによって構成される第２シート固定部２１を、使用するシート４の厚さに応じて使い分けることにより、薄手のシート４ａと厚手のシート４ｂの両方を選択的に使用することができる。
また、前記第１シート固定部２０は、前記シート固定部材１０に形成し、前記第２シート固定部２１は、前記シート固定部材１０の一部と前記基盤８の一部とを組み合わせて形成しているので、その構成は非常に合理的で、使い勝手も優れる。
【符号の説明】
【００３５】
１      フローリングワイパー
２      ワイパーヘッド
３      柄
４ａ      薄手のシート
４ｂ      厚手のシート
８      基盤
１０      シート固定部材
１０ａ      広幅部
１０ｂ      狭幅部
１０ｃ      自由端
１０ｄ      延出部
１１      端壁
１２      シート挟持部
１２ａ      庇部
１２ｂ      脚部
１８      係止片
１９      切目
２０      第１シート固定部
２１      第２シート固定部
２３      凹部
Ｗａ，Ｗｂ      横幅
Ｘ      長さ
【図１】
0006496620.tif 000002
【図２】
0006496620.tif 000003
【図３】
0006496620.tif 000004
【図４】
0006496620.tif 000005
【図５】
0006496620.tif 000006
【図６】
0006496620.tif 000007
【図７】
0006496620.tif 000008
【図８】
0006496620.tif 000009
【図９】
0006496620.tif 000010